(57)【特許請求の範囲】
【請求項１】
ガスセンサを含むガス検出手段と、
このガス検出手段の検出信号よりセンサ出力値を演算するセンサ出力演算手段と、
前記演算されたセンサ出力値よりガス漏れ判定するガス漏れ判定手段と、
前記ガス漏れ判定の結果よりガス漏れ警報を発生する警報発生手段と、
前記センサ出力値が所定値以下に低下した時にガス漏れ警報を解除する警報解除手段と、
前記演算されたセンサ出力値の変化率より前記ガス検出手段が検出したガスが一過性ガスであるかを判定する一過性ガス判定手段と、
一過性ガスであることが判定された時に前記警報解除手段に対して早期に警報を解除する早期警報解除手段とを備え、
前記一過性ガス判定手段は、前記センサ出力値が予め設定したガス漏れ判定用の第１の設定値とこの第１の設定値より高く設定した第２の設定値との間を所定時間以内で上昇した時に一過性ガスであることを判定し、
前記警報解除手段は、前記センサ出力値が前記第１の設定値より低い第３の設定値に低下すると警報発生手段に警報解除信号を出力し、且つ、前記一過性ガス判定手段による一過性ガス判定時に、前記センサ出力値が前記第１の設定値と同値の第４の設定値に低下すると警報発生手段に警報解除信号を出力する、
ことを特徴とするガス漏れ警報装置。
【請求項２】
ガスセンサを含むガス検出手段と、
このガス検出手段の検出信号よりセンサ出力値を演算するセンサ出力演算手段と、
前記演算されたセンサ出力値よりガス漏れ判定するガス漏れ判定手段と、
前記ガス漏れ判定の結果よりガス漏れ警報を発生する警報発生手段と、
前記センサ出力値が所定値以下に低下した時にガス漏れ警報を解除する警報解除手段と、
前記演算されたセンサ出力値の変化率より前記ガス検出手段が検出したガスが一過性ガスであるかを判定する一過性ガス判定手段と、
一過性ガスであることが判定された時に前記警報解除手段に対して早期に警報を解除する早期警報解除手段とを備え、
前記一過性ガス判定手段は、前記センサ出力値が予め設定したガス漏れ判定用の第１の設定値とこの第１の設定値より高く設定した第２の設定値との間を所定時間以内で上昇した時に一過性ガスであることを判定し、
前記警報解除手段は、前記センサ出力値が前記第１の設定値より低い第３の設定値に至ると前記警報発生手段に警報解除信号を出力し、且つ、前記一過性ガス判定手段による前記一過性ガス判定時に、前記センサ出力値が前記第１の設定値と同値の第４の設定値より高い値に設定した第５の設定値以下に低下すると警報発生手段に警報解除信号を出力する、
ことを特徴とするガス漏れ警報装置。
【発明の詳細な説明】
【０００１】
【発明の属する技術分野】
この発明は一過性ガスによるガス漏れを判定した時に、ガス漏れ警報を早期に解除する機能を備えたガス漏れ警報装置に関するものである。
【０００２】
【従来の技術】
従来のガス漏れ警報装置として、図８にその概略構成を示すものがある。ガス漏れ検知の対象ガスはＬＰＧ、ブタンガスであり、ガスセンサとして接触燃焼式ガスセンサＳＥを用いている。
この装置の構成としては、商用電源電圧であるＡＣ１００Ｖを１２Ｖ程度に降圧する電源入力回路１、この降圧した１２Ｖを直流変換した後にガスセンサＳＥを含むブリッジ回路から成るガス検出回路３に印加する電源回路２、ガス検出回路３の出力電圧のレベルに基づいて、ガス漏れ警報を行うかを判定する警報判定機能４、警報判定機能４によるガス漏れ警報判定結果に基づいて図示しないガスメータのガス供給用の弁に遮断信号を出力する外部出力回路５を備えている。警報判定機能４はマイコンにより実施される。
【０００３】
このガス漏れ警報装置は、図９に示すように電源を投入すると同時に約３０分間の点検モードとなり、この点検モードの開始より約４０秒間（初期遅延時間）は、ガスセンサＳＥや回路の動作を安定化させる時間であり、ガスを検知してもガス漏れ警報を発令しない。３０分の後に通常モードとなり通常のガス漏れ監視を行う。
【０００４】
この、通常モードにおいては、ガス漏れ判定時におけるセンサ出力が一時的に上昇した際にガス漏れ警報の誤報を避けるために、ガス漏れを判定してから警報遅延時間Ｔ１’を経てから警報ブザーの鳴動、更に外部出力遅延時間Ｔ２’を経てから遮断開始信号を出力を外部出力回路５に出力し、図示しないガスメータのガス供給用の弁に遮断信号を出力する。
警報ブザーの鳴動および遮断開始信号出力録のタイミングは点検モードにおいても同様であり、ガス漏れを判定してから警報遅延時間Ｔ１を経てから警報ブザーの鳴動、更に外部出力遅延時間Ｔ２を経てから遮断開始信号を出力を外部出力回路５に出力し、図示しないガスメータのガス供給用の弁に遮断信号を出力する。
【０００５】
ガス漏れ警報装置は家庭で使用されるプロパンガス（検知対象ガス）に反応するが、殺虫時に使用される殺虫剤の主成分はブタンガスとなっており検知対象ガスの成分と同一である。そのため、ガスセンサＳＥに殺虫剤が吹き付けられた場合にガス漏れ警報の誤報を防止する必要がある。そこで、ガス漏れ警報装置は、ガス検出回路３からの出力に対して警報発生を遅延し、この遅延時間中にわたってガスセンサＳＥがガスを検出し、ガス検出回路３からセンサ出力を出しているときに、初めて警報を発生する構成となっている。
【０００６】
【発明が解決しようとする課題】
従来装置は殺虫剤の様な一過性のガスであっても一旦ガスを遅延時間中にわたって検知するとガス濃度が予め設定された濃度以下になるまで警報を発報し続ける。そこでガスセンサを収納するケースを、殺虫剤等の一過性ガスが遅延時間中に渡って滞留しにくい構造にして警報を早期に解除させるようにした。
しかし、装置本体の薄型、小型、軽量化を計る中で、ケースの構造だけではガスの滞留時間を短くしてガス漏れ警報を早期に解除することができず、滞留したガスの濃度が低下するまで誤警報を出し続けることになる。
【０００７】
この発明は上記のような問題点を解消するためになされたものであり、一過性ガスの検知によるガス漏れ警報を早期に解除できるガス漏れ警報装置を得ることを目的とする。
【０００８】
【課題を解決するための手段】
請求項１及び請求項２の発明に係るガス漏れ警報装置は、図１の基本構成図に示すように、ガスセンサを含むガス検出手段１−１と、このガス検出手段１−１の検出信号よりセンサ出力値を演算するセンサ出力演算手段１−２と、前記演算されたセンサ出力値よりガス漏れ判定を行うガス漏れ判定手段１−３と、前記ガス漏れ判定の結果よりガス漏れ警報を発生する警報発生手段１−４と、前記センサ出力値が所定値以下に低下した時にガス漏れ警報を解除する警報解除手段１−５と、前記演算されたセンサ出力値の変化率より前記ガス検出手段１−１が検出したガスが一過性のガスであるかを判定する一過性ガス判定手段１−６と、一過性ガスであることが判定された時に前記警報解除手段１−５に対して早期に警報を解除する早期警報解除手段１−７を備えたものである。
【０００９】
請求項１及び請求項２の発明によれば、一旦、ガス漏れを検知し警報発生手段１−４よりガス漏れ警報が発生している間に、検知したガスが一過性ガスであることが一過性ガス判定手段１−６にて判定されたならば、早期警報解除手段１−７を機能させて警報解除手段１−５に対して警報解除を早めさせることで、一過性ガス検知によるガス漏れの誤警報を早期に解除する。
【００１０】
また、請求項１及び請求項２の発明に係るガス漏れ警報装置の一過性ガス判定手段１−６は、前記センサ出力値が予め設定したガス漏れ判定用の第１の設定値とこの第１の設定値より高く設定した第２の設定値との間を所定時間以内で上昇した時に一過性ガスであることを判定する。
【００１１】
請求項１及び請求項２の発明によれば、一過性ガスは高濃度であるためセンサ出力値は急峻に上昇するため、ガス漏れ判定用の第１の設定値とこの第１の設定値より高く設定した第２の設定値との間をセンサ出力値が所定時間以内で上昇した時に一過性ガスを判定する。
【００１２】
そして、請求項１の発明に係るガス漏れ警報装置の警報解除手段１−５は、前記センサ出力値が前記第１の設定値より低い第３の設定値に低下すると警報発生手段１−４に警報解除信号を出力し、且つ、前記一過性ガス判定手段１−６による一過性ガス判定時に、前記センサ出力値が前記第１の設定値と同値の第４の設定値に低下すると警報発生手段１−４に警報解除信号を出力する。
【００１３】
請求項１の発明によれば、ガス漏れ検知対象ガスを検知した時にはセンサ出力値が前記第１の設定値より低い第３の設定値に低下するまで警報が解除されないのに対して、一過性ガスを判定した時は、センサ出力値が第１の設定値と同値に設定されている第４の設定値を低下した時に警報解除手段１−５より警報発生手段１−４に対して警報解除信号を出力することで警報を早期に解除する。
【００１４】
また、請求項２の発明に係るガス漏れ警報装置の警報解除手段１−５は、前記センサ出力値が前記第１の設定値より低い第３の設定値に至ると前記警報発生手段１−４に警報解除信号を出力し、且つ、前記一過性ガス判定手段１−６による前記一過性ガス判定時に、前記センサ出力値が前記第１の設定値と同値の第４の設定値より高い値に設定した第５の設定値以下に低下すると警報発生手段１−４に警報解除信号を出力する。
【００１５】
請求項２の発明によれば、ガス漏れ検知対象ガスを検知した時には、センサ出力値が前記第１の設定値より低い第３の設定値に低下するまで警報が解除されないのに対して、一過性ガスを判定した時は、センサ出力値が第４の設定値より高く設定されている第５の設定値を低下した時に警報解除手段１−５より警報発生手段１−４に警報解除信号を出力することで警報を早期に解除する。
【００１６】
【発明の実施の形態】
実施の形態１．
以下、本発明に係るガス漏れ警報装置の実施の形態１を、各添付図面を参照して説明する。図２は本実施の形態に係るガス漏れ警報装置の概要を示す図である。
尚、図中、図８と同一符号は同一または相当部分を示す。
本実施の形態１におけるマイコン回路６は、検知したガスの濃度レベルが一時的に上昇あるいは低下することによるチャタリングに起因するガス漏れ警報あるいは警報解除の繰り返しを防止するためにガス濃度低下を判定するヒステリシスレベルを設定する誤報防止機能６ｂ、ガス漏れ点検モード時と、ガス漏れ検出通常モード時とで警報遅延時間Ｔ１’，Ｔ１’’と外部出力遅延時間Ｔ２’，Ｔ２’’とを切り換え設定および一過性ガスの判定時におけるガス漏れ警報解除レベルを設定する警報判定機能６ｃ、ガス漏れ判定時に表示回路（ランプ）７を点滅させるスイッチング機能６ａ、ガス漏れ判定時に設定された警報遅延時間Ｔ１’，Ｔ１’’後に鳴動開始信号を出力する警報遅延機能６ｅ、鳴動開始信号を入力してブザー回路（警報ブザー）８を鳴動させるブザー発振機能６ｆ、同じくガス漏れ判定時に設定された外部出力遅延時間Ｔ２’，Ｔ２’’後に外部出力信号を外部出力回路５へ出力する外部出力遅延機能６ｄ、外部出力回路５を通してガスメータより入力された弁遮断信号、弁復帰信号に基づきスイッチング機能６ａおよびブザー発振機能６ｆを動作させ、表示回路７およびブザー回路８を、ガス漏れ判定時と異なる報知形態で動作させるメータ信号判別機能６ｈ、電源を投入した通電初期の鳴動動作を防止する通電時鳴動防止機能６ｇを備える。
マイコン回路６はマイコン電源回路２ａより安定化電圧が供給されている。
【００１７】
誤報防止機能６ｂはチャタリング防止のためにガス漏れ警報を判定する警報判定レベルに対して１０％〜２０％低いレベルのヒステリシスレベル△Ｌ１を設定する。
尚、外部出力回路５は外部出力信号を入力してガスメータにガス供給用の弁遮断開始信号を出力し、且つ、ガスメータより入力された弁遮断信号、弁復帰信号をメータ信号判別機能６ｈに出力する。
【００１８】
即ち、本実施の形態に係るガス漏れ警報装置のセンサ出力特性は図３に示す様に、一過性ガスはガス漏れ検知対象ガスに比べて高濃度であるため、センサ出力が、例えば警報設定レベル（約４５ｍＶ）Ｌ１に至ってからよりヒステリシス解除レベルＬ２に数秒で上昇し、更に約５、６秒程度でピーク値である約８０ｍＶに至り、その後ガス漏れ検知対象ガスを対象に設定した警報解除レベル（４０ｍＶ程度）Ｌ１’に４秒程度で低下する。
【００１９】
そこで、センサ出力が警報設定レベルＬ１よりヒステリシス解除レベルＬ２にまで数秒で上昇したことを警報判定機能６ｃで判定したならば、センサ出力がピーク値に至り、警報設定レベルＬ１と同レベルである一過性ガス判定時警報解除までに低下した時点で警報を解除させる。即ち、センサ出力が警報設定レベルＬ１よりヒステリシスレベルだけ低く設定した警報解除レベルＬ１’に至る前に警報を解除させることで、早期に警報が解除される。
【００２０】
図４は図３のセンサ出力特性を、通常ガス判定時警報解除時間と一過性ガス判定時警報解除時間との説明を容易にするために書き換えたセンサ出力特性である。
通常モードにおいてはガス漏れを判定するセンサ出力レベルを警報設定レベルＬ１とし、警報解除レベルＬ１’を警報設定レベルＬ１より１０％〜２０％低いヒステリシスレベル△Ｌ１分以下の４０ｍＶ程度のレベルに設定する。
また、一過性ガスに対しては、そのガスを判定するセンサ出力レベルをヒステリシス解除レベルＬ２（＞Ｌ１）とし、一過性ガスに対する警報解除レベルを警報設定レベルＬ１と同レベルの一過性ガス判定時解除レベルＬ２’とする。
【００２１】
これらレベル設定により、警報判定機能６ｃは、通常モードにおいてセンサ出力レベルが警報判定レベルＬ１を越し、予め設定した一過性ガス判定時間（２秒）Ｔ以内にヒステリシス解除レベルＬ２に至ったことを判定したならば、検知したガスを一過性ガスと判断し、ガス漏れ警報を解除するセンサ出力低下レベルを一過性ガス判定時解除レベルＬ２’とする。即ち、一過性ガスの濃度によるセンサ出力レベルが一過性ガス判定時解除レベルＬ２’に低下するとガス漏れ警報を解除する。
【００２２】
次に、本実施の形態１のマイコン回路６に係る早期警報解除処理を図６のフローチャートに従って説明する。
先ず、装置の電源ＯＮが判定されると（ステップＳ１）、初期化処理として警報設定レベルＬ１を４５ｍＶ程度、通常モード時の警報解除レベルＬ１’をヒステリシスレベル△Ｌ１以下の４０ｍＶ程度、一過性ガス判定によるヒステリシス解除レベルＬ２を５５ｍＶ程度、一過性ガス判定時間を２秒程度、一過性ガス判定時解除レベルＬ２’を警報設定レベルＬ１と同レベルの４５ｍＶ程度に設定する（ステップＳ３）。
【００２３】
次に、図９に示すように点検モードより通常モードに移行するまでの３０分を計時する（ステップＳ５）。３０分経過したか否かを判定し（ステップＳ７）、経過していなければ点検モードとする（ステップＳ９）。この点検モードの間はガスセンサに点検用ガスを吹き付けてガス漏れを疑似的に発生させて装置の警報動作を点検することができる。
【００２４】
３０分の経過により点検モード期間が終わり通常モード移行したならば、警報判定機能６ｃはガス検出回路３よりセンサ出力レベルＬｓを読み込み、センサ出力レベルＬｓ≧警報設定レベルＬ１か否かを判定する（ステップＳ１３）。ここで、センサ出力レベルＬｓが警報設定レベルＬ１より小さいと判定されたならば、ガス漏れは発生していないと判断しステップＳ１１に戻り、ガス漏れ検知を続行する。
【００２５】
読み込んだセンサ出力レベルＬｓが、センサ出力レベルＬｓ≧警報設定レベルＬ１と判定されたならば（ステップＳ１３）、スイッチング機能６ａを動作させてランプ７を点滅表示させ、所定時間後にブザー発振機能６ｆを動作させてランプ点滅と共に、警報ブザー８を断続鳴動させて警報を発生し（ステップＳ１５）、更に所定時間後に外部出力遅延機能６ｄから外部出力回路５へ外部出力信号を出力してその動作をＯＮさせ、ガスメータに弁遮断開始信号を出力する。
【００２６】
警報発生後、一過性ガス判定時間Ｔに向けて計時動作を行いながら（ステップＳ１７）、センサ出力レベルＬｓ≧ヒステリシス解除レベルＬ２か否かを判定する（ステップＳ１９）。ここで、センサ出力レベルＬｓがヒステリシス解除レベルＬ２より小さいと判定されたならば、ステップＳ１１に戻り再度計時動作およびセンサ出力レベルＬｓとヒステリシス解除レベルＬ２との比較を繰り返す。
【００２７】
センサ出力レベルＬｓ≧ヒステリシス解除レベルＬ２であることが判定されたならば、計時結果を読みだし、センサ出力レベルＬｓが警報設定レベルＬ１よりヒステリシス解除レベルＬ２に至った時間が一過性ガス判定時間Ｔより短いか否かを判定する（ステップＳ２１）。
【００２８】
ここで、センサ出力レベルＬｓが一過性ガス判定時間Ｔ以上の時間をかけてヒステリシス解除レベルＬ２に至ったと判定されたならば、低濃度のプロパンガス等のガス漏れを判定し、警報解除レベルＬ１’を設定する。
【００２９】
警報発生後、センサ出力レベルＬｓを読み込み（ステップＳ２９）、センサ出力レベルＬｓ≦警報解除レベルＬ１’であるか否かを判定する（ステップＳ３１）。ここで、センサ出力レベルＬｓが警報解除レベルＬ１’より低下していないことが判定されたならば、警報を発生し続け、更にセンサ出力レベルＬｓを読み込む（ステップＳ２９）。最終的にガスメータの弁遮断によりガス供給が停止され、センサ出力レベルＬｓが警報解除レベルＬ１’より低下したことが判定されたならば警報を解除する（ステップＳ３３）。
【００３０】
しかし、ステップＳ２１において、センサ出力レベルＬｓが一過性ガス判定時間Ｔ以内にヒステリシス解除レベルＬ２に至ったと判定されたならば、高濃度の一過性ガスがガスセンサＳＥに吹き付けられたものと判定し、警報解除レベルを警報解除レベルＬ１’と同レベルの一過性ガス判定時警報解除レベルＬ２’に設定する。
【００３１】
警報発生後、センサ出力レベルＬｓを読み込み（ステップＳ２３）、センサ出力レベルＬｓが一過性ガス判定時警報解除レベルＬ２’より低下したか否かを判定する（ステップＳ２５）。ここで、センサ出力レベルＬｓが一過性ガス判定時警報解除レベルＬ２’より低下していないことが判定されたならば、警報を発生し続け、更にセンサ出力レベルＬｓを読み込む（ステップＳ２３）。最終的にセンサ出力レベルＬｓが一過性ガス判定時警報解除レベルＬ２’より低下したことが判定されたならば警報を解除する（ステップＳ２７）。
【００３２】
この様に検知されたガスが一過性ガスの場合は、ヒステリシスレベルを０とし、センサ出力レベルＬｓが一過性ガス判定時警報解除レベルＬ２’を低下したときに警報を解除することで、一過性ガスに対するガス漏れ警報が早期に解除される。
【００３３】
実施の形態２．
上記実施の形態１は、センサ出力レベルＬｓが警報解除レベルＬ１’と同レベルの一過性ガス判定時警報解除レベルＬ２’を下回った時に警報を解除することで、一過性ガス検知により発生した警報を早期に解除するようにした。本実施の形態２では一過性ガス検知により発生した誤警報をより早期に解除するようにした。
【００３４】
そこで本実施の形態２は、検知したガスが一過性のガスであることが判定されたならば、図５のセンサ出力特性図に示すように一過性ガス判定時警報解除レベルＬ２’’を警報設定レベルＬ１より逆ヒステリシスレベル△Ｌ２分高いレベル（５１ｍＶ程度）に設定する。また、通常のプロパンガス漏れ検知に対しては実施の形態１と同様に警報設定レベルＬ１よりヒステリシスレベル△Ｌ１分低い４０ｍＶ程度の警報解除レベルＬ１’を設定する。
【００３５】
次に本実施の形態２の動作を図７のフローチャートを参照して説明する。
本実施の形態２に係るガス漏れ警報装置の構成は図２に示すガス漏れ警報装置と同様である。
先ず、装置の電源ＯＮが判定されると（ステップＳ１）、初期化処理として警報設定レベルＬ１を４５ｍＶ程度、通常モード時の警報解除レベルＬ１’を４０ｍＶ程度、ヒステリシス解除レベルＬ２を５５ｍＶ程度、一過性ガス判定時間を２秒程度、一過性ガス判定時解除レベルＬ２’’を５１ｍＶ程度に設定する（ステップＳ３）。
【００３６】
次に、図９に示すように点検モードより通常モードに移行するまでの３０分を計時する（ステップＳ５）。３０分経過したか否かを判定し（ステップＳ７）、経過していなければ点検モードとする（ステップＳ９）。この点検モードの間はガスセンサに点検用ガスを吹き付けてガス漏れを疑似的に発生させて装置の警報動作を点検することができる。
【００３７】
３０分の経過により点検モード期間が終わり通常モード移行したならば、警報判定機能６ｃはガス検出回路３よりセンサ出力レベルＬｓを読み込み、センサ出力レベルＬｓ≧警報設定レベルＬ１であるか否かを判定する（ステップＳ１３）。ここで、センサ出力レベルＬｓが警報設定レベルＬ１より小さいと判定されたならば、ガス漏れは発生していないと判断しステップＳ１１に戻り、ガス漏れ検知を続行する。
【００３８】
読み込んだセンサ出力レベルＬｓが、センサ出力レベルＬｓ≧警報設定レベルＬ１と判定されたならば（ステップＳ１３）、スイッチング機能６ａを動作させてランプ７を点滅表示させ、所定時間後にブザー発振機能６ｆを動作させてランプ点滅と共に、警報ブザー８を断続鳴動させて警報を発生し（ステップＳ１５）、更に所定時間後に外部出力遅延機能６ｄから外部出力回路５へ外部出力信号を出力してその動作をＯＮさせ、ガスメータに弁遮断開始信号を出力する。
【００３９】
警報発生後、一過性ガス判定時間Ｔに向けて計時動作を行いながら（ステップＳ１７）、センサ出力レベルＬｓ≧ヒステリシス解除レベルＬ２であるか否かを判定する（ステップＳ１９）。ここで、センサ出力レベルＬｓがヒステリシス解除レベルＬ２より小さいと判定されたならば、ステップＳ１１に戻り再度計時動作およびセンサ出力レベルＬｓとヒステリシス解除レベルＬ２との比較を繰り返す。
【００４０】
センサ出力レベルＬｓ≧ヒステリシス解除レベルＬ２と同レベルあることが判定されたならば、計時結果を読みだし、センサ出力レベルＬｓが警報設定レベルＬ１よりヒステリシス解除レベルＬ２に至った時間が一過性ガス判定時間Ｔより短いか否かを判定する（ステップＳ２１）。
【００４１】
ここで、センサ出力レベルＬｓが一過性ガス判定時間Ｔ以上の時間をかけてヒステリシス解除レベルＬ２に至ったと判定されたならば、低濃度のプロパンガス等のガス漏れを判定し、警報解除レベルＬ１’を設定する。
【００４２】
警報発生後、センサ出力レベルＬｓを読み込み（ステップＳ２９）、センサ出力レベルＬｓ≦警報解除レベルＬ１’であるか否かを判定する（ステップＳ３１）。ここで、センサ出力レベルＬｓが警報解除レベルＬ１’より低下していないことが判定されたならば、警報を発生し続け、更にセンサ出力レベルＬｓを読み込む（ステップＳ２９）。最終的にセンサ出力レベルＬｓが警報解除レベルＬ１’より低下したことが判定されたならば警報を解除する（ステップＳ３３）。
【００４３】
センサ出力レベルＬｓが一過性ガス判定時間Ｔ以内にヒステリシス解除レベルＬ２に至ったと判定されたならば、高濃度の一過性ガスがガスセンサに吹き付けられたものと判定し、警報解除レベルを警報解除レベルＬ１’より高いレベルの一過性ガス判定時警報解除レベルＬ２’’を設定する。
【００４４】
警報発生後、センサ出力レベルＬｓを読み込み（ステップＳ２３）、センサ出力レベルＬｓ≦一過性ガス判定時警報解除レベルＬ２’’であるか否かを判定する（ステップＳ２５）。ここで、センサ出力レベルＬｓが一過性ガス判定時警報解除レベルＬ２’’より低下していないことが判定されたならば、警報を発生し続け、更にセンサ出力レベルＬｓを読み込む（ステップＳ２３）。最終的にセンサ出力レベルＬｓが一過性ガス判定時警報解除レベルＬ２’’より低下したことが判定されたならば警報を解除する（ステップＳ２７）。
【００４５】
この様に検知されたガスが一過性ガスの場合は、一過性ガス判定時警報解除レベルＬ２’’をヒステリシス解除レベルＬ２付近に設定し、センサ出力レベルＬｓが一過性ガス判定時警報解除レベルＬ２’’を低下したときに警報を解除することで、一過性ガスに対するガス漏れ警報が更に早期に解除される。
【００４６】
【発明の効果】
請求項１及び請求項２の発明によれば、ガスセンサを含むガス検出手段１−１と、このガス検出手段１−１の検出信号よりセンサ出力値を演算するセンサ出力演算手段１−２、前記演算されたセンサ出力値よりガス漏れを判定するガス漏れ判定手段１−３と、前記ガス漏れ判定の結果よりガス漏れ警報を発生する警報発生手段１−４と、センサ出力値が所定値以下に低下した時にガス漏れ警報を解除する警報解除手段１−５と、前記演算されたセンサ出力値の変化率より前記ガス検出手段１−１が検出したガスが一過性ガスか否かを判定する一過性ガス判定手段１−６と、一過性ガスであることが判定された時に前記警報解除手段１−５に対して警報解除を早める早期警報解除手段１−７を備え、一旦、ガス漏れを検知し警報発生手段１−４よりガス漏れ警報が発生している間に、検知したガスが一過性ガスであることが一過性ガス判定手段１−６に判定されたならば、早期警報解除手段１−７を機能させて警報解除手段１−５に対して警報解除を早めさせることで、一過性ガス検知によるガス漏れの誤警報を早期に解除することができるという効果がある。
【００４７】
また、請求項１及び請求項２の発明によれば、ガス漏れ検知対象ガスを検知した時にはセンサ出力値が前記第１の設定値より低いヒステリシスレベルである第３の設定値に低下するまで警報が解除されないのに対して、一過性ガスを検知したときには、センサ出力値が第４の設定値より高く設定されている第５の設定値を低下した時に警報解除手段１−５より警報発生手段１−４に警報解除信号を出力されることで誤警報を更に早期に解除できるという効果がある。
【００４８】
また、請求項１の発明によれば、ガス漏れ検知対象ガスを検知した時にはセンサ出力値が前記第１の設定値より低いヒステリシスレベルである第３の設定値に低下するまで警報が解除されないのに対して、一過性ガスを検知した時には、センサ出力値が第１の設定値と同値に設定されている第４の設定値を低下した時に警報解除手段１−５より警報発生手段１−４に警報解除信号を出力することで誤警報を早期に解除できるという効果がある。
【００４９】
また、請求項２の発明によれば、一過性ガスは高濃度であるためセンサ出力値は急峻に上昇するため、ガス漏れ警報判定用の第１の設定値とこの第１の設定値より高く設定した第２の設定値との間をセンサ出力値が所定時間以内で上昇した時に一過性ガスを判定することで、ガス漏れ検知対象ガスと一過性ガスとの弁別を早期に、しかも容易に行えると共に、警報の早期解除処理へ早期に移行できるという効果がある。
【図面の簡単な説明】
【図１】図１はこの発明に係るガス漏れ警報装置の基本構成を示すブロック図である。
【図２】図２は本発明に係るガス漏れ警報装置の概要を示す図である。
【図３】図３は本発明に係るガス漏れ警報装置のセンサ出力特性を示した図である。
【図４】図４は図３に示すセンサ出力特性を、本発明の実施の形態１に係るガス漏れ警報装置のセンサ出力特性に各設定レベルを付加して書き換えたセンサ出力特性を示す図である。
【図５】図５は図３に示すセンサ出力特性を、本発明の実施の形態２に係るガス漏れ警報装置のセンサ出力特性に各設定レベルを付加して書き換えたセンサ出力特性を示す図である。
【図６】図６は実施の形態１のガス漏れ警報装置におけるガス漏れ警報解除処理を説明するフローチャートである。
【図７】図７は実施の形態２のガス漏れ警報装置におけるガス漏れ警報解除処理を説明するフローチャートである。
【図８】図８は従来のガス漏れ警報装置の概要を示す図である。
【図９】図９は点検モード時における各遅延時間の配分を示したタイミングチャートである。
【符号の説明】
１−１    ガス検出手段
１−２    センサ出力演算手段
１−３    ガス漏れ判定手段
１−４    警報発生手段
１−５    警報解除手段
１−６    一過性ガス判定手段
１−７    早期警報解除手段
Ｌ１      警報設定レベル（第１の設定値）
Ｌ１’    警報解除レベル：ヒステリシスレベル（第３の設定値）
Ｌ２      ヒステリシス解除レベル（第２の設定値）
Ｌ２’    一過性ガス判定時警報判定レベル（第４の設定値）
Ｌ２’’  一過性ガス判定時警報判定レベル：逆ヒステリシスレベル（第５の設定値）
【図１】
0003828811.tif 000002
【図２】
0003828811.tif 000003
【図３】
0003828811.tif 000004
【図４】
0003828811.tif 000005
【図５】
0003828811.tif 000006
【図６】
0003828811.tif 000007
【図７】
0003828811.tif 000008
【図８】
0003828811.tif 000009
【図９】
0003828811.tif 000010